(57)【特許請求の範囲】
【請求項１】
車両及び／又は該車両に配属された各コンポーネントの駆動ユニットの監視方法において、
駆動ユニット及び／又は該駆動ユニットに配属された各コンポーネントの所要トルクの特性を示す、ドラッグトルクを無負荷運転調整器の出力信号を用いて無負荷運転時に測定し、
所定の運転状態で、運転特性量を所定目標値に調整し、
該無負荷運転調整器は少なくとも積分成分を有しており、
該無負荷運転調整器の積分成分を表す値と、所定の／予期される値との偏差に基づいて補正値を求め、該補正値を用いて、ドラッグトルクを補正し、
前記積分成分を表す値、前記補正値及び／又は補正された前記ドラッグトルクが予期される値以上に変化した場合、エラーを検出することを特徴とする方法。
【請求項２】
無負荷運転中、回転数を無負荷運転回転数に調整する請求項１記載の方法。
【請求項３】
積分成分の特性を示す量及び／又は補正量が限界値よりも大きい場合、エラーを検出する請求項１又は２記載の方法。
【請求項４】
車両及び／又は該車両に配属された各コンポーネントの駆動ユニットの監視装置において、
無負荷運転調整器の出力トルクであるドラッグトルクにより、駆動ユニット及び／又は該駆動ユニットに配属された各コンポーネントの所要トルクの特性を示し、前記ドラッグトルクを無負荷運転調整器の出力トルクを用いて無負荷運転時に測定し、
所定の運転状態で、運転特性量を所定目標値に調整し、
前記無負荷運転調整器は少なくとも積分成分を有しており、
該無負荷運転調整器の積分成分を表す値と、所定の／予期される値との偏差に基づいて補正値を求め、該補正値を用いて、ドラッグトルクを補正し、
前記積分成分を表す値、前記補正値及び／又は補正されたドラッグトルクが予期される値以上に変化した場合、エラーを検出する手段を有することを特徴とする監視装置。
【発明の詳細な説明】
【０００１】
【発明の属する技術分野】
本発明は、車両及び／又は該車両に配属された各コンポーネントの駆動ユニットの監視方法及び装置に関する。
【０００２】
【従来の技術】
ドイツ連邦共和国特許公開第４３０４７７９号公報（米国特許第５４８４３５１号明細書）から、車両の駆動ユニットから送出されたトルクの制御装置が公知である。その際、トルクを形成するのに必要な、駆動ユニットの出力パラメータの調整量を算出する手段が設けられており、その際、補正量は、少なくとも補助ユニットの所要トルク並びにエンジン損失トルクに依存して設定される。その際、所要トルクが各々記憶されている特性領域が付加的に測定される。
【０００３】
更に、内燃機関の監視方法及び装置が公知である。このために、通常のように、運転特性量を検出するセンサが使用される。そのような監視装置は、一般的に付加的なセンサを必要とするので、コスト高である。
【０００４】
【発明が解決しようとする課題】
本発明の課題は、コスト安に、車両及び／又は該車両に配属された各コンポーネントの駆動ユニットを監視することにある。
【０００５】
【課題を解決するための手段】
課題を解決するため、本発明は、車両及び／又は該車両に配属された各コンポーネントの駆動ユニットの監視方法において、駆動ユニット及び／又は該駆動ユニットに配属された各コンポーネントの所要トルクの特性を示す、ドラッグトルクを無負荷運転調整器の出力トルクを用いて無負荷運転時に測定し、所定の運転状態で、運転特性量を所定目標値に調整し、該無負荷運転調整器は少なくとも積分成分を有しており、該無負荷運転調整器の積分成分を表す値と、所定の／予期される値との偏差に基づいて補正値を求め、該補正値を用いて、ドラッグトルクを補正し、前記積分成分を表す値、前記補正値及び／又は補正された前記ドラッグトルクが予期される値以上に変化した場合、エラーを検出することを提案するものである。また、車両及び／又は該車両に配属された各コンポーネントの駆動ユニットの監視装置において、無負荷運転調整器の出力トルクであるドラッグトルクにより、駆動ユニット及び／又は該駆動ユニットに配属された各コンポーネントの所要トルクの特性を示し、前記ドラッグトルクを無負荷運転調整器の出力トルクを用いて無負荷運転時に測定し、所定の運転状態で、運転特性量を所定目標値に調整し、前記無負荷運転調整器は少なくとも積分成分を有しており、該無負荷運転調整器の積分成分を表す値と、所定の／予期される値との偏差に基づいて補正値を求め、該補正値を用いて、ドラッグトルクを補正し、前記積分成分を表す値、前記補正値及び／又は補正されたドラッグトルクが予期される値以上に変化した場合、エラーを検出する手段を有することを提案するものである。
【０００６】
本発明によると、駆動ユニットの所要トルク及び／又は該駆動ユニットに配属された各コンポーネントの所要トルクの特性を示す量に基づいて、内燃機関及び／又は該内燃機関に配属された各コンポーネントのエラーを検出するようにされている。その際、トルク量及び／又は当該トルク量を測定する際に基づく量に基づいて、エラーを検出するのである。殊に、トルク量を適合化するようにされている。その際、適合化に必要な量及び／又は適合化された量に基づいて、エラーが検出される。
【０００７】
【発明の実施の形態】
本発明によると、所定の運転状態で、運転特性量を所定目標値に調整し、調整器に少なくとも１つの積分特性を持たせるようにされる。この際、有利には、無負荷回転数が調整される。
【０００８】
つまり、所定の運転状態、例えば、無負荷運転時に、実際のドラッグトルク、つまり、無負荷運転調整器の実際の出力トルクが、予期されるドラッグトルクと一致するかどうか検査される。無負荷運転調整器の実際の出力トルクが、予期されるドラッグトルクと一致するのは、無負荷運転調整器の出力信号が、予期される値とほぼ同じである場合である。その際、予期される値は、有利には、運転特性量、例えば、回転数及び温度量に依存して、特性領域内に記憶される。
【０００９】
このドラッグトルクと一致しない場合、ドラッグトルクの設定値が補正される。適合化に使われた量、例えば、無負荷運転調整器の出力信号、無負荷運転調整器の出力信号と比較値との偏差、ドラッグトルクが補正される値及び／又はドラッグトルクに基づいて、固定限界値を超過した際にエラーが検出される。
【００１０】
それ以外の利点は、後続の図示の実施例の説明並びに従属請求項から分かる。
【００１１】
【実施例】
以下、本発明について、図示の実施例を用いて詳細に説明する。
【００１２】
図１には、車両の駆動ユニットの制御装置の方法が図示されている。１００で、調整部材が示されており、この調整部材により、内燃機関の出力送出、殊にトルクが制御される。そのような調整部材は、例えば、磁気弁又はピエゾアクチュエータであり、それにより、噴射すべき燃料量が制御される。この調整部材には、信号Ｍが供給される。信号Ｍは、結合点１１０によって形成され、この結合点の第１の入力側には、無負荷運転調整器１１５の出力信号ＭＬが供給され、この結合点の第２の入力側には、結合点１２０の出力信号が供給される。結合点１２０の第１の入力側には、補助装置設定部１２５の出力信号ＭＮが供給される。結合点１２０の第２の入力側には、結合点１３０の出力信号が供給され、結合点１２０の第１の入力側には、ドラッグトルク設定部１３５の出力信号ＭＳが供給される。結合点１３０の第１の入力側には、ドライバの要求設定部の出力信号ＭＳが供給される。
【００１３】
ドライバの要求設定部１４０は、種々のセンサ信号、例えば、運転手によって操作された操作要素の操作の程度を検出するセンサ１５０のセンサ信号を処理する。この際、例えば、アクセルペダル位置ＦＰの検出用のセンサが用いられる。更に、センサ１５２が設けられ、このセンサは、内燃機関の回転数Ｎ及び／又は車両の走行速度Ｖを検出する。更に、温度信号Ｔを形成するセンサ１５４を設けてもよい。このセンサは、殊にドラッグトルク設定部１３５によって評価される。
【００１４】
ドライバの要求に基づいて、ドライバ要求設定部１４０は、ドライバ要求トルクＭＦを求める。ドラッグトルク設定部１３５は、殊に、内燃機関の内部摩擦を克服するのに必要なドラッグトルクＭＳを送出する。補助装置設定部１２５は、種々異なる補助装置の所要トルクを補償するのに必要な補助装置トルクＭＮを送出する。この両トルク信号ＭＳ及びＭＮは、結合点１３０及び１２０で、ドライバ要求トルクＭＦに加算される。結合点１１０では、このトルクに付加的に、無負荷運転トルクＭＬを形成する無負荷運転調整器の出力信号が加算される。それから、この全トルクＭに基づいて、調整部材１００が制御される。
【００１５】
無負荷運転調整器は、測定された回転数と所望の無負荷運転回転数との比較に基づいて無負荷運転トルクＭＬを送出する。その際、無負荷運転調整器１１５は、少なくとも１つの積分成分（Ｉ−成分）及び比例成分（ｐ−成分）を有する。
【００１６】
図２には、本発明の装置が詳細に示されている。図１に示した要素は、相応の参照記号で示してある。実質的に、適合化部２００は補正部２１０に信号を供給する。補正部２１０は、信号を結合点２１５に供給し、この結合点の第２の入力側には、ドラッグトルク設定部の出力信号が供給される。結合点２１５の出力信号は、結合点１３０に供給される。補正部２１０には、温度センサの信号Ｔ及び回転数及び／又は走行速度信号の出力信号Ｎが供給される。適合化部２００は、比較器２２０の出力信号並びに適合化部２３０の始動用出力信号を処理する。
【００１７】
比較器２２０には、無負荷運転調整器の出力信号Ｉ及び基準特性領域部２２５の出力信号が供給される。基準特性領域部２２５は、特に回転数センサの出力信号Ｎ及び温度センサの出力信号Ｔを処理する。無負荷運転調整器１１５は、適合化部２３０の始動部に信号Ｐも信号Ｉも供給する。エラー監視部２４０には、図示の実施例では、無負荷運転調整器の出力信号Ｉが供給される。
【００１８】
この装置は以下のように作動する。基準特性領域部２２５内で、運転特性量、例えば、回転数及び温度、無負荷運転調整器のＩ−成分用の基準値が導出される。通常のように、停止状態では、無負荷運転調整器用の調整偏差は生じない。即ち、無負荷運転調整器のｐ成分の出力信号は０である。即ち、無負荷運転調整器の出力側は、無負荷運転調整器のＩ−成分に相応している。基準特性領域部内に、回転数Ｎ及び温度Ｔに依存して、無負荷運転調整器の出力値が供給され、この出力値は、ドラッグトルクＭＳがドラッグトルク設定部内で導出される値に相応する場合に生じる必要がある。
【００１９】
Ｉ−成分の実際値が、基準特性領域部内に記憶された値に相応する場合、比較器２２０は、信号を適合化部２００に送出しない。それに対して、各値が相互に異なる場合、適合化が開始されているならば、実際の温度及び／又は回転数に対応している相応の値が、補正特性領域部２１０内で、求められた偏差値に依存して補正される。
【００２０】
適合化部２３０の作動開始により、適合できるかどうか検査される。これは、有利な実施例では、本当の無負荷運転時に限って可能であり、即ち、狭い回転数領域内でしか適合化は可能でない。殊に、目標無負荷回転数と実際の回転数との偏差が非常に小さい場合に適合化される。適合化は温度領域全体で行われるので、ドラッグトルク特性領域部の補正は、温度領域全体に亘って可能である。
【００２１】
適合化が行われない運転領域内では、補正部２１０で導出された値は、ドラッグトルク設定部１３５の出力信号の補正のために使用される。
【００２２】
本発明の手法を構成する際、相応の手法を補助装置設定部１２５の出力信号の適合化のためにも用いることができる。つまり、ブロック１２５の適合化のために、ブロック２００〜２４０に相応する要素が設けられている。
【００２３】
無負荷運転調整器の積分成分の特徴を示す出力信号Ｉは、エラー検出部２４０で評価される。殊に、Ｉ−成分が所定の限界値よりも大きい場合にエラーが検出される。Ｉ−成分の、そのような偏差は、ドラッグトルクが持続的にその予期される値からずれていることで指示される。そうすることによって、ドラッグトルクが高くなったり、及び／又は、ドラッグトルクが明らかに低くなったりする内燃機関の領域内のエラー状態を検出することができる。相応のやり方で、補助装置、例えば、エアコンコンプレッサ、発電機又はパワートレインを監視することができる。この場合、Ｉ−成分が予期される値よりも大きい場合にエラーが検出される。
【００２４】
択一選択的に、比較器２２０の出力信号をエラー検出部２４０に供給するようにしてもよい。この場合、有利には、比較器２２０の出力信号は、当該出力信号が限界値よりも大きいかどうか監視される。
【００２５】
更に、補正部２１０の出力信号は、エラー検出部２４０に供給されて、相応に評価されるようにしてもよい。
【００２６】
別の択一選択的な実施例として、考察量が予期される量よりも急速に、及び／又は、緩慢に変化する場合にエラー状態が検出されるようにしてもよい。即ち、考察量の上昇又は降下が限界値よりも大きいか、及び／又は、小さい場合である。
【００２７】
本発明によると、各考察量の１つのみならず、各考察量の複数又は全てを評価するようにしてもよい。
【図面の簡単な説明】
【図１】駆動ユニットの制御用装置のブロック接続略図
【図２】本発明の装置のブロック接続図
【符号の説明】
１００  調整部材
１１０，１２０，１３０，２１５  結合点
１１５  無負荷運転調整器
１２５  補助装置設定部
１３５  ドラッグトルク設定部
１４０  ドライバの要求設定部
１５０  運転手によって操作された操作要素の操作の程度を検出するセンサ
１５２  内燃機関の回転数Ｎ及び／又は車両の走行速度Ｖを検出するセンサ
１５４  温度信号Ｔを形成するセンサ
２００  適合化部
２１０  補正部
２２０  比較器
２２５  基準特性領域部
２３０  適合化部
２４０  エラー監視部
【図１】
0004436997.tif 000002
【図２】
0004436997.tif 000003